(57)【要約】【課題】グリルと空気調和装置用キャビネットとの係止を確実に行い検知スイッチの動作不良を防止することが可能な空気調和装置用キャビネットおよびこれを備えた空気調和装置を提供することを目的とする。【解決手段】天井に設置されて、中央部に吸入口を有するパネル１３と、パネル１３の下面から係止部１６によって吸入口に設置されるグリル１７と、パネル１３とグリル１７とが係止することによって動作する検知スイッチ２１と、パネル１３に設けられる磁石または磁性体と、磁石または磁性体に対向してグリル１７に設けられる磁性体または磁石と、を備え、磁性体および磁石は、検知スイッチ２１の近傍に設けられることを特徴とする。【選択図】図２
2012032017.tif 000002
【特許請求の範囲】
【請求項１】
天井に設置されて、中央部に吸入口を有するパネルと、
該パネルの下面から係止部によって前記吸入口に設置されるグリルと、
前記パネルと前記グリルとが係止することによって動作する検知スイッチと、
前記パネルに設けられる磁石または磁性体と、
前記磁石または前記磁性体に対向して前記グリルに設けられる磁性体または磁石と、を備え、
前記磁性体および前記磁石は、前記検知スイッチの近傍に設けられる空気調和装置用キャビネット。
【請求項２】
前記磁石および前記磁性体は、複数設けられ、そのうちの少なくとも１組が前記検知スイッチの近傍に設けられる請求項１に記載の空気調和装置用キャビネット。
【請求項３】
複数の前記磁石および前記磁性体は、前記グリルの撓み量が大きい位置に設ける請求項２に記載の空気調和装置用キャビネット。
【請求項４】
請求項１から請求項３のいずれかに記載の空気調和装置用キャビネットを備えた空気調和装置。
【発明の詳細な説明】
【技術分野】
【０００１】
本発明は、天井に設置される空気調和装置用キャビネットおよびこれを備えた空気調和装置に関するものである。
【背景技術】
【０００２】
空気調和装置の天井埋め込み型の室内機としては、一般に、遠心ファン及びファンモータからなる給送気装置と、この給送気装置を包囲してその送風路中に配設される熱交換器と、給送気装置及び熱交換器とを収納している空気調和装置用キャビネットとを備えている。この空気調和装置用キャビネットは、その中央部に空気の吸入口が設けられており、吸入口には、多数の吸込孔を有しているグリルが設置されている。グリルは、係止部によって空気調和装置用キャビネットの下面から空気調和装置用キャビネットに設置されている。このため、グリルは、その自重によって下方に撓んで変形を生じる。
【０００３】
特許文献１には、マグネットおよびスチールプレートを用いてグリルの自重による変形を防止することが開示されている。
特許文献２には、支点軸を設けることによってグリルの自重による変形を防止することが開示されている。
特許文献３には、グリルに設けられているフィルタの剛性によってグリルの自重による変形を防止することが開示されている。
【０００４】
また、特許文献４には、グリルと空気調和装置用キャビネットとの係止部にマグネットを設けて、係止部がマグネットにより確実に係止することが開示されている。
【先行技術文献】
【特許文献】
【０００５】
【特許文献１】特許第３１６４７７３号公報
【特許文献２】特許第３０７０４７０号公報
【特許文献３】特開２０００−２２７２３４号公報
【特許文献４】特開２００１−２０１０８８号公報
【発明の概要】
【発明が解決しようとする課題】
【０００６】
しかしながら、特許文献１から特許文献４に記載の発明は、グリルと空気調和装置用キャビネットとの係止が確実に行われていることを確認する検知装置を設けた場合に、その検知装置（検知スイッチ）がグリルの撓みによって誤作動することを防止することが出来ないという問題があった。
【０００７】
本発明は、このような事情に鑑みてなされたものであって、グリルと空気調和装置用キャビネットとの係止を確実に行い検知スイッチの動作不良を防止することが可能な空気調和装置用キャビネットおよびこれを備えた空気調和装置を提供することを目的とする。
【課題を解決するための手段】
【０００８】
上記課題を解決するために、本発明の空気調和装置用キャビネットおよびこれを備えた空気調和装置は、以下の手段を採用する。
すなわち、本発明に係る空気調和装置用キャビネットによれば、天井に設置されて、中央部に吸入口を有するパネルと、該パネルの下面から係止部によって前記吸入口に設置されるグリルと、前記パネルと前記グリルとが係止することによって動作する検知スイッチと、前記パネルに設けられる磁石または磁性体と、前記磁石または前記磁性体に対向して前記グリルに設けられる磁性体または磁石を備え、前記磁性体および前記磁石は、前記検知スイッチの近傍に設けられることを特徴とする。
【０００９】
パネルに設けられる磁石または磁性体およびグリルに設けられる磁性体または磁石を検知スイッチの近傍に設けることとした。これにより、磁石と磁性体とによってグリルを引き上げてグリルとパネルとの距離を近づけることができる。そのため、グリルとパネルとが係止部によって係止しているがグリルの撓みによって検知スイッチが動作しない場合や係止部のガタつきにより検知スイッチが動作しない場合であっても、検知スイッチを確実に動作させることができる。したがって、グリルとパネルとが係止した際における検知スイッチの動作不良を防止することができる。
【００１０】
さらに、本発明に係る空気調和装置用キャビネットによれば、前記磁石および前記磁性体は、複数設けられ、そのうちの少なくとも１組が前記検知スイッチの近傍に設けられることを特徴とする。
【００１１】
磁石および磁性体を複数設け、そのうちの少なくとも１組の磁石および磁性体を検知スイッチの近傍に設けることとした。そのため、検知スイッチの近傍に設けた磁石および磁性体によって検知スイッチを確実に動作させることができ、かつ、複数設けられた磁石および磁性体によってグリルの自重によってグリルが下方に撓んで変形することを低減することができる。したがって、検知スイッチの動作不良を防止しつつ、グリルの外観の向上を図ることができる。
【００１２】
さらに、本発明に係る空気調和装置用キャビネットによれば、複数の前記磁石および前記磁性体は、前記グリルの撓み量が大きい位置に設けることを特徴とする。
【００１３】
グリルの撓み量が大きい位置に磁石および磁性体を設けることとした。そのため、面積の大きなパネルであっても、グリルの自重によってグリルが下方に撓んで変形することを低減することができる。したがって、グリルの外観の向上を図ることができる。
【００１４】
さらに、本発明に係る空気調和装置によれば、上記のいずれかに記載の空気調和装置用キャビネットを備えたことを特徴とする。
【００１５】
検知スイッチの動作不良を防止すること、および、グリルの自重によってグリルが下方に撓んで変形することを低減することが可能な空気調和装置用キャビネットを用いることとした。したがって、空気調和装置の外観の向上を図りつつ、検知スイッチの動作不良によるエアコンの不動作やそれに伴うメンテナンス作業を低減することができる。
【発明の効果】
【００１６】
パネルに設けられる磁石または磁性体およびグリルに設けられる磁性体または磁石を検知スイッチの近傍に設けることとした。これにより、磁石と磁性体とによってグリルを引き上げてグリルとパネルとの距離を近づけることができる。そのため、グリルとパネルとが係止部によって係止しているがグリルの撓みによって検知スイッチが動作しない場合や係止部のガタつきにより検知スイッチが動作しない場合であっても、検知スイッチを確実に動作させることができる。したがって、グリルとパネルとが係止した際における検知スイッチの動作不良を防止することができる。
【図面の簡単な説明】
【００１７】
【図１】本発明の第１実施形態に係る空気調和装置の空気調和装置用キャビネットの斜視図である。
【図２】図１に示す空気調和装置の化粧用パネルとグリルとを下方からみた平面図である。
【図３】図１に示す空気調和装置の化粧用パネルとグリルとの係止部の拡大構成図を示し、（Ａ）は、その横断面概略構成図であり、（Ｂ）は、（Ａ）に示したＡ−Ａ部の断面概略構成図を示している。
【図４】本発明の第２実施形態に係る空気調和装置の化粧用パネルとグリルとの平面図である。
【発明を実施するための形態】
【００１８】
［第１実施形態］
以下、本発明の第１実施形態について、図１から図３を用いて説明する。
図１および図２に示すように、本実施形態に係る空気調和装置は、天井に設けられている開口部（図示せず）内に埋め込まれている室内機２と、室外に設置されている室外機（図示せず）と、を有している。室内機２と室外機とは、図示しない冷媒回路を介して接続されており、この冷媒回路を介して室内機２と室外機との間で熱のやり取りが行われるようになっている。
【００１９】
天井に設けられている開口部に埋め込まれている室内機２は、空気調和装置用キャビネット１１を有している。空気調和装置用キャビネット１１は、空気取入口（吸入口）１４と空気吹出口１５とが設けられている。空気調和装置用キャビネット１１には、空気調和装置用キャビネット１１内に設けられている空気取入口１４から室内空気を取り込んで空気吹出口１５から再び室内に送出する給送気装置（図示せず）と、給送気装置が空気調和装置用キャビネット１１内に取り込んだ室内空気と冷媒回路内の冷媒との間で熱交換を行う熱交換器（図示せず）とが設けられている。
【００２０】
給送気装置は、ファンモータ（図示せず）と、ファンモータの下方に設けられてファンモータによって駆動される遠心ファン（図示せず）とを各々有している。遠心ファン（シロッコファン）は、ファン本体がファンモータによって回転駆動されることにより、ファン本体の下方から空気取入口１４を通じて室内空気を吸い込むとともに、この室内空気をファン本体の径方向外側（すなわち空気調和装置用キャビネット１１の周縁部側）に向けて送出して、空気調和装置用キャビネット１１の空気吹出口１５を通じて室内に吹出する構成とされている。
【００２１】
熱交換器は、給送気装置と後述する側板１２との間に設けられ、給送気装置の周囲を取り囲むように配置されている。熱交換器は、給送気装置によってファン本体の径方向外側に向けて送出された室内空気と冷媒回路内の冷媒との間で熱交換を行うものである。
【００２２】
空気調和装置用キャビネット１１は、給送気装置が下面側に取り付けられている四角形状の天板（図示せず）と、天板の周縁部から下方に向けて延びており天板の下方の空間を取り囲んでいる側板１２と、側板１２の下端に設けられており中央部に空気取入口１４を有している化粧用パネル（パネル）１３と、を備えている。
【００２３】
天板には、その下面に給送気装置が取り付けられている。これにより、給送気装置は、側板１２によって取り囲まれている空間内に取り付けられることとなる。給送気装置が設けられている空間内を形成している側板１２の下方には、ロの字形状の化粧用パネル１３が設けられている。
【００２４】
化粧用パネル１３は、側板１２の下端に設けられており空気取入口１４を取り囲むようにロの字形状をなしている。化粧用パネル１３の各辺には、空気吹出口１５が形成されている。空気吹出口１５は、遠心ファンから熱交換器を通過した室内空気を空気調和装置用キャビネット１１から流出するものである。化粧用パネル１３には、その下面から係止部１６によってグリル１７が設けられている。
【００２５】
グリル１７は、空気調和装置用キャビネット１１の中央部、すなわち空気取入口１４に取り付けられている。グリル１７には、複数のグリル孔１７ａが設けられている。室内空気は、グリル孔１７ａを経て空気取入口１４へと取り込まれることとなる。
【００２６】
グリル１７を化粧用パネル１３に係止している係止部１６は、複数、例えば４箇所に設けられている（図１には、２箇所のみを示す）。係止部１６は、グリル１７に設けられている引掛け部１６ａ（図２参照）または爪部１６ｂと、化粧用パネル１３に設けられている係止溝１６ｃ（図１参照）とを係止させる構造となっている。
【００２７】
引掛け部１６ａは、グリル１７の一辺に２個所設けられている。爪部１６ｂは、引掛け部１６ａに対向しているグリル１７の一辺に２個所設けられている。係止溝１６ｃは、引掛け部１６ａおよび爪部１６ｂに対応する位置に設けられている。
【００２８】
グリル１７は、引掛け部１６ａをその引掛け部１６ａに対応している係止溝１６ｃに係止させた後に、爪部１６ｂをその爪部１６ｂに対応している係止溝１６ｃに係止させることによって化粧用パネル１３に取り付けられる。
【００２９】
図３には、化粧用パネルとグリルとの係止部の拡大構成図を示し、（Ａ）は、その横断面概略構成図であり、（Ｂ）は、（Ａ）に示したＡ−Ａ部の断面概略構成図が示されている。
化粧用パネル１３には、化粧用パネル１３とグリル１７とが係止部１６によって係止することによって動作するリミットスイッチ（検知スイッチ）２１が設けられている。
【００３０】
図３（Ａ）に示すように、リミットスイッチ２１の近傍の化粧用パネル１３には、磁石３１が１箇所設けられている。また、グリル１７には、リミットスイッチ２１の近傍の化粧用パネル１３に設けられている磁石３１に対向している位置に鉄製のプレート（磁性体）３２が設けられている。
【００３１】
リミットスイッチ２１は、爪部１６ｂ（図１参照）に対応する係止溝１６ｃ（図１参照）の近傍に、例えば１つ設けられている。リミットスイッチ２１は、グリル１７の内面側（天井側）がリミットスイッチ２１に接することによってスイッチのオンオフし、グリル１７の開閉を検知するものである。
【００３２】
リミットスイッチ２１は、図３（Ｂ）に示すように、リミットスイッチ本体（図示せず）と、リミットスイッチ本体の先端部に突出して設けられているヘッド部２３と、ヘッド部２３を覆うように設けられているガイド部２４と、を備えている。
【００３３】
リミットスイッチ本体は、化粧用パネル１３に取り付けられているケーシング２６内に設けられている。リミットスイッチ本体には、内蔵マイクロスイッチ（図示せず）が内蔵されており電線２５が接続されている。
【００３４】
ヘッド部２３は、リミットスイッチ本体の下方の先端部に突出して設けられている。ヘッド部２３の先端部に力が作用することによって、リミットスイッチ本体に内蔵されている内蔵マイクロスイッチのスイッチがオンオフされる。
【００３５】
ガイド部２４は、ヘッド部２３の先端部を下方から覆うようにケーシング２６に設けられている。ガイド部２４は、シリコン製である。ガイド部２４は、その形状が下方に緩やかに湾曲している。湾曲しているガイド部２４の最突出部には、下方に向かって延在しており、縦断面形状がＵ字形状の先端部２４ａが設けられている。
【００３６】
ガイド部２４は、化粧用パネル１３とグリル１７とが係止していない場合や係止部１６（図１参照）にガタつきがあって化粧用パネル１３とグリル１７との間が離反している場合には、下方に緩やかに湾曲した形状のままである。ガイド部２４が下方に緩やかに湾曲した形状のままの場合には、ガイド部２４のリミットスイッチ本体側の面がリミットスイッチ本体に設けられているヘッダ部２３と離反しており、リミットスイッチ２１はオフ状態となっている。なお、化粧用パネル１３とグリル１７とが係止していない場合のガイド部２４のリミットスイッチ本体側の面とヘッダ部２３との間の距離は、所定の距離とされている。
【００３７】
化粧用パネル１３とグリル１７とが確実に係止した場合には、ガイド部２４の先端部２４ａがグリル１７の内側（天井側）に接触して先端部２４ａを天井側へと押し上げる。そのため、ガイド部２４の先端部２４ａに力が付加されてガイド部２４が圧縮される。ガイド部２４がガイド部２４のリミットスイッチ本体側の面とヘッダ部２３との間の距離が所定の距離を超えて圧縮された場合には、ガイド部２４のリミットスイッチ本体側の面がヘッド部２３に下方から力を付加することとなる。これによって、リミットスイッチ２１がオン状態となる。この圧縮量により、リミットスイッチ２１のオン動作幅を増加させている。
【００３８】
図３（Ａ）に示すように、リミットスイッチ２１近傍の化粧用パネル１３に磁石３１を設けてその磁石３１に対向するグリル１７の位置にプレート３２を設けることによって、グリル１７が撓んでいる場合であっても、磁石３１とプレート３２とによってグリル１７を上方に引き上げることができる。そのため、化粧用パネル１３とグリル１７との距離を近づけることができる。これによって、グリル１７の撓みを防いでグリル１７と化粧用パネル１３とが係止した場合にリミットスイッチ２１を確実にオン状態にすることができる。
【００３９】
以上述べたように、本実施形態に係る空気調和装置用キャビネット１１およびこれを備えた空気調和装置によれば、以下の効果を奏する。
化粧用パネル（パネル）１３に設けられている磁石３１およびグリル１７に設けられているプレート（磁性体）３２をリミットスイッチ（検知スイッチ）２１の近傍に設けることとした。これにより、磁石３１とプレート３２とによってグリル１７を引き上げてグリル１７と化粧用パネル１３との距離を近づけることができる。そのため、グリル１７と化粧用パネル１３とが係止部１６によって係止しているがグリル１７の撓みによってリミットスイッチ２１がオン状態にならない（動作しない）場合や係止部１６のガタつきによりリミットスイッチ２１がオン状態にならない場合であっても、リミットスイッチ２１を確実にオン状態（動作状態）にすることができる。したがって、グリル１７と化粧用パネル１３とが係止した際におけるリミットスイッチ２１の動作不良を防止することができる。
【００４０】
リミットスイッチ２１の動作不良を防止すること、および、グリル１７の自重によってグリル１７が下方に撓んで変形することを低減することが可能な空気調和装置用キャビネット１１を用いることとした。したがって、空気調和装置の外観の向上を図りつつ、リミットスイッチ２１の動作不良によるエアコン不作動とそれに伴うメンテナンス作業を低減することができる。
【００４１】
なお、本実施形態では、リミットスイッチ２１を１箇所にもうけ、そのリミットスイッチ２１を爪部１６ｂおよびその爪部１６ｂに対応する係止溝１６ｃの近傍に設けるとして説明したが、本発明は、これに限定されるものではなく、リミットスイッチ２１の位置および数は、化粧用パネル１３とグリル１７とが確実に係止部１６により係止したことを検知できる場所であれば良く、また数も任意に設けるものとして良い。
【００４２】
また、本実施形態では、化粧用パネル１３に磁石３１を設けてグリル１７にプレート３２を設けるとして説明したが、化粧用パネル１３にプレート３２を設けてグリル１７に磁石３１を設けるものとしても良い。
さらに、本実施形態では、プレート３２を鉄製として説明したが、その他の磁性体であっても良い。
【００４３】
［第２実施形態］
本実施形態の空気調和装置用キャビネットおよびこれを備えた空気調和装置は、リミットスイッチの近傍以外にも磁石とプレートとを複数設ける点で、第１実施形態と相違しその他は同様である。したがって、同一の構成については、同一の符号を付してその説明を省略する。
【００４４】
図４には、本実施形態の磁石およびプレートの設置位置を示す化粧用パネルとグリルとの平面図が示されている。
磁石３１および鉄製のプレート（磁性体）３２は、リミットスイッチ（検知スイッチ）２１の近傍に設けられている以外にも複数組（例えば、２組）設けられている。リミットスイッチ２１の近傍以外に設けられている磁石３１およびプレート３２は、グリル１７の長手方向であって撓み量が大きい位置に設けられている。これによって、グリル１７の自重によってグリル１７が下方に撓んで変形することを低減することができる。
【００４５】
以上述べたように、本実施形態に係る空気調和装置用キャビネット１１およびこれを備えた空気調和装置によれば、以下の効果を奏する。
磁石３１および鉄製のプレート（磁性体）３２を複数設け、そのうちの少なくとも１組の磁石３１およびプレート３２をリミットスイッチ（検知スイッチ）２１の近傍に設けることとした。そのため、リミットスイッチ２１の近傍に設けた磁石３１およびプレート３２によってリミットスイッチ２１を確実にオン状態（動作状態）にすることができ、かつ、複数設けられている磁石３１およびプレート３２によってグリル１７の自重によってグリル１７が下方に撓んで変形することを低減することができる。したがって、リミットスイッチ２１の動作不良を防止しつつ、グリル１７の外観の向上を図ることができる。
磁石３１および鉄製のプレート３２が複数設けられていることによって、グリル１７の取付方向を変更しても、リミットスイッチ２１近傍に設けた磁石３１とプレート３２とにより常にグリル１７を引き上げて、確実にリミットスイッチ２１をオン状態にすることができる。
【００４６】
グリル１７の撓み量が大きい位置に磁石３１およびプレート３２を設けることとした。そのため、面積の大きな化粧用パネル１３であっても、グリル１７の自重によってグリル１７が下方に撓んで変形することを低減することができる。したがって、グリル１７の外観の向上を図ることができる。
【符号の説明】
【００４７】
２  空気調和装置用キャビネット
１３  化粧用パネル（パネル）
１４  空気取入口（吸入口）
１６  係止部
１７  グリル
２１  リミットスイッチ（検知スイッチ）
３１  磁石
３２  プレート（磁性体）
【図１】
2012032017.tif 000003
【図２】
2012032017.tif 000004
【図３】
2012032017.tif 000005
【図４】
2012032017.tif 000006